(57)【特許請求の範囲】
【請求項１】
（ア）細長く直線状に延び、内部空間が換気通路として提供され、長手方向に等間隔をおいて多数の第１通気穴を形成してなる支持壁を有する本体と、
（イ）長手方向に等間隔をおいて多数の第２通気穴を有し、上記支持壁の屋内側の面に接しながら長手方向にスライド可能に支持される細長い作動板と、
（ウ）上記作動板に着脱可能に連結された状態で、上記作動板を上記第１、第２通気穴が一致した開き位置と一致しない閉じ位置との間で移動させる操作つまみと、
を備えた換気装置において、
上記本体には、上記支持壁の屋内側において、本体の長手方向に少なくとも上記作動板より長く延びる作業口が形成されており、
上記本体には、上記操作つまみをスライド可能に支持するつまみ支持部材が、上記作業口の一部領域を塞ぐように、かつ屋内側からの着脱を可能にして設置され、
さらに上記本体には、細長い形状をなすとともに多数の通気穴を有するカバー部材が、上記作業口における残りの領域を塞ぐように、かつ屋内側からの着脱を可能にして設置され、
上記作動板は、上記つまみ支持部材および上記カバー部材を上記本体から取り外した状態で、上記作業口を介して屋内側から出し入れ可能であることを特徴とする換気装置。
【請求項２】
上記本体が、１つまたは複数の型材を含み、その全長にわたって上記作業口が形成されていることを特徴とする請求項１に記載の換気装置。
【請求項３】
上記本体は、最も屋内側に位置するとともに上記作業口を挟んで対峙する一対の係合溝を有し、
上記つまみ支持部材は、第１、第２の係合部を有し、これら係合部を上記本体の一対の係合溝に着脱可能に嵌めることにより、上記本体に支持され、
上記カバー部材は、第３、第４の係合部を有し、これら係合部を上記本体の一対の係合溝に着脱可能に嵌めることにより、上記本体に支持されることを特徴とする請求項１または２に記載の換気装置。
【請求項４】
上記つまみ支持部材の第１、第２の係合部のうちの一方が弾性変形可能な爪からなることを特徴とする請求項３に記載の換気装置。
【請求項５】
さらに押さえブロックを備えており、
上記本体の支持壁が起立姿勢をなし、この支持壁の上縁，下縁のそれぞれから、上記作動板のための収容空間を区画する天井壁および受壁が屋内に向かって延び、上記作動板は上記支持壁に接するととともに上記受壁に乗っており、
上記押さえブロックは、上記本体に着脱可能に係止された状態で、上記作動板を上記支持壁に向かって弾性的に押し付け、上記つまみ支持部材および上記カバー部材を上記本体から取り外した状態で、上記作業口を介して屋内側から出し入れ可能であることを特徴とする請求項１〜４のいずれかに記載の換気装置。
【請求項６】
上記本体には、上記天井壁より屋内側において下方に突出する第１受け凸部が形成され、上記受壁より屋内側において上方に突出する第２受け凸部が形成され、これら第１、第２受け凸部が上記作業口を挟んで対峙しており、
上記押さえブロックは、第１、第２の係止部を有し、これら第１、第２の係止部が上記第１、第２の受け凸部の屋外側面にそれぞれ着脱可能に係止され、上記第１、第２係止部の上記第１、第２受け凸部からの係止解除により、上記作業口を介して出し入れ可能であることを特徴とする請求項５に記載の換気装置。
【発明の詳細な説明】
【技術分野】
【０００１】
本発明は、スライド式換気装置に関する。
【背景技術】
【０００２】
特許文献１、２に開示されているように、スライド式換気装置は、細長く直線状に延びる本体と、細長い作動板と、操作つまみを備えている。
上記本体は、屋内側に配された正面壁と、それより屋外側に配された支持壁を有している。
【０００３】
上記作動板は、上記支持壁の屋内側の面に接し、長手方向にスライド可能に支持されている。
上記正面壁の長手方向一端部には支持穴が形成され、この支持穴につまみモール（つまみ支持部材）が嵌め込まれるようにして固定され、このつまみモールに操作つまみがスライド可能に支持されている。この操作つまみと上記作動板は連結されている。
【０００４】
上記支持壁には、長手方向に等間隔をおいて多数の第１通気穴が形成され、上記作動板にも上記第１通気穴と同ピッチで長手方向に間隔をおいて多数の第２通気穴が形成されている。
ユーザーは上記操作つまみを介して作動板を、上記第１、第２通気穴が一致した開き位置と一致しない閉じ位置との間でスライドさせる。
【０００５】
なお、特許文献２の換気装置は、作動板を支持板に弾性的に押し付けるための樹脂製の押さえブロックを備えている。この押さえブロックは、作動板の長手方向に間隔をおいて複数配置されており、作動板に相対移動不能に取り付けられている。
【０００６】
特許文献１，２の換気装置では、作動板は本体の端から挿入することにより、組み込まれる。特許文献２の押さえブロックも作動板に連結した状態で本体の端から作動板と一緒に組み込まれる。さらに本体の両端にキャップを固定することにより換気装置が完成し、その後でサッシ戸に組みつけられる。
【先行技術文献】
【特許文献】
【０００７】
【特許文献１】特開平１０−１１５１５６号公報
【特許文献２】特開２００８−１６４１９９号公報
【発明の概要】
【発明が解決しようとする課題】
【０００８】
特許文献１、２の換気装置では、修理やメンテナンスの必要が生じた時に、換気装置をサッシ戸から取り外し、換気装置の本体からキャップを取り外し、さらに作動板を本体に対して長手方向に移動させて抜かなければならず、その作業が煩雑であった。
【課題を解決するための手段】
【０００９】
上記課題を解決するため、本発明は、
（ア）細長く直線状に延び、内部空間が換気通路として提供され、長手方向に等間隔をおいて多数の第１通気穴を形成してなる支持壁を有する本体と、
（イ）長手方向に等間隔をおいて多数の第２通気穴を有し、上記支持壁の屋内側の面に接しながら長手方向にスライド可能に支持される細長い作動板と、
（ウ）上記作動板に着脱可能に連結された状態で、上記本体に長手方向にスライド可能に支持され、上記作動板を上記第１、第２通気穴が一致した開き位置と一致しない閉じ位置との間で移動させる操作つまみと、
を備えた換気装置において、
上記本体には、上記支持壁の屋内側において、本体の長手方向に少なくとも上記作動板より長く延びる作業口が形成されており、上記作動板がこの作業口を介して出し入れ可能であることを特徴とする。
【００１０】
上記構成によれば、修理やメンテナンスの際に、作動板を作業口から出し入れすることができ、換気装置を設置場所から取り外したり、作動板を本体から長手方向に抜く作業を省くことができ、作業性を向上させることができる。
【００１１】
好ましくは、上記本体が、１つまたは複数の型材を含み、その全長にわたって上記作業口が形成されている。
これによれば、作業口を切削加工せずに形成することができる。
【００１２】
好ましくは、さらに、つまみ支持部材とカバー部材とを備え、上記本体は、最も屋内側に位置するとともに上記作業口を挟んで対峙する一対の係合溝を有し、上記つまみ支持部材は、第１、第２の係合部を有し、これら係合部を上記本体の一対の係合溝に着脱可能に嵌めることにより、上記本体に支持されるとともに上記作業口の一部領域を塞ぎ、このつまみ支持部材に上記操作つまみがスライド可能に支持されており、上記カバー部材は、通気性を有する細長い形状をなすとともに第３、第４の係合部を有し、これら係合部を上記本体の一対の係合溝に着脱可能に嵌めることにより、上記本体に支持されるとともに上記作業口における残りの領域を塞ぐ。
これによれば、つまみ支持部材とカバー部材で作業口を塞ぐことにより、作動板を隠すことができる。
【００１３】
好ましくは、上記つまみ支持部材の第１、第２の係合部のうちの一方が弾性変形可能な爪からなる。
これによれば、爪の弾性変形を利用してつまみ支持部材を本体に対して脱着することができ、この脱着のためにつまみ支持部材を本体に対して作業口の幅方向に変位可能とする必要がないので、つまみ支持部材を安定して支持することができる。
【００１４】
好ましくは、さらに押さえブロックを備えており、上記本体の支持壁が起立姿勢をなし、この支持壁の上縁，下縁のそれぞれから、上記作動板のための収容空間を区画する天井壁および受壁が屋内に向かって延び、上記作動板は上記支持壁に接するととともに上記受壁に乗っており、さらに上記本体には、上記天井壁より屋内側において下方に突出する第１受け凸部が形成され、上記受壁より屋内側において上方に突出する第２受け凸部が形成され、これら第１、第２受け凸部が上記作業口を挟んで対峙しており、上記押さえブロックは、第１、第２の係止部を有し、これら第１、第２の係止部が上記第１、第２の受け凸部の屋外側面にそれぞれ着脱可能に係止された状態で、上記作動板を上記支持壁に向かって弾性的に押し付け、上記第１、第２係止部の上記第１、第２受け凸部からの係止解除により、上記作業口を介して出し入れ可能である。
これによれば、作動板を支持壁に密着させる押さえブロックも作業口から出し入れすることができる。
【００１５】
上記換気装置を二重窓の構成要素として用いることができる。すなわち、二重窓は、窓枠と、この窓枠の屋外側に設置された換気機能付きの外窓装置と、窓枠の屋内側に設置された上記換気装置および内窓装置を備えている。換気装置は、窓開口の一辺と等しい長さを有し、当該一辺を画成する窓枠の枠部に、換気装置の本体が固定される。内窓装置は、その枠体を、上記換気装置の本体と、上記窓枠の当該一辺を除く他の三辺の枠部に固定される。
このように換気装置が窓枠に直接設置される場合、修理、メンテナンスの際に、換気装置を窓枠から取り外すのは非常に面倒であるが、上述したように本体を設置場所に固定したまま作動板を取り出し、修理、メンテナンスを行うことができる。
【発明の効果】
【００１６】
本発明の換気装置によれば、修理やメンテナンスの作業性を大きく向上させることができる。
【図面の簡単な説明】
【００１７】
【図１】既存の窓に本発明の一実施例に係わる換気装置を取り付けた状態を示す縦断面図である。
【図２】さらに内窓装置を取り付けて、二重窓にした状態を示す縦断面図である。
【図３】図１の状態を示す正面図である。
【図４】図３中Ａ−Ａ線に沿う拡大平断面図である。
【図５】図１の要部の拡大縦断面図である。
【図６】図２の要部の拡大縦断面図である。
【図７】上記換気装置の本体を示す拡大断面図である。
【図８】上記換気装置の作動板、押さえブロック、カバー部材を分解して示す拡大断面図である。
【図９】上記換気装置のつまみモール近傍部の拡大縦断面である。
【図１０】上記つまみモールを示すもので、（Ａ）は正面図、（Ｂ）は平面図、（Ｃ）は図（Ａ）中Ｃ−Ｃ線に沿う断面図、（Ｄ）は図（Ａ）中Ｄ−Ｄ線に沿う断面図である。
【図１１】（Ａ）〜（Ｅ）は、上記換気装置から種々の構成要素を取り外す工程を順に示す要部拡大縦断面図である。
【発明を実施するための形態】
【００１８】
以下、本発明の一実施形態について、図面を参照しながら説明する。本実施形態では、既存の窓をリフォームして二重窓にするために、本発明に係わる換気装置が用いられる。
最初に、図１を参照しながら既存の窓の構造について説明する。この窓は窓枠１を有しており、この窓枠１は、例えば木製の上枠部２と下枠部３と左右の縦枠部４とを有し、これら枠部２〜４により矩形の窓開口５が形成されている。
【００１９】
上記既存の窓の屋外側には、上記窓開口５を開閉するための窓装置６が設置されている。以下、この窓装置６を、後述する内窓装置９と区別するために外窓装置と称する。
上記外窓装置６の枠体６ａは、それぞれアルミ押出型材からなる上枠部６ｂと、下枠部６ｃと、左右の縦枠部６ｄとで矩形に構成されている。この枠体６ａは、上記窓枠１に固定されるとともに、建物の壁に固定されている。
【００２０】
上記外窓装置６の２枚のアルミ製のサッシ戸６ｘは、上記上枠部６ｂと下枠部６ｃにそれぞれ形成されたレール６ｅ，６ｆに案内されて走行することにより、窓開口５を開閉するようになっている。なお、符号６ｙは網戸を示す。
【００２１】
各サッシ戸６ｘには換気装置７が装着されている。この換気装置７は、例えば上框一体型のものであり、周知のものであるので詳細には説明しないが、操作つまみ７ａを左右に移動することにより、作動板７ｂをスライドさせつつカム機構により屋内外方向に回動させることにより、室内側の正面壁に形成された通気穴を開閉するようになっている。
【００２２】
上述した既存の窓に、図１に示すように本発明に係わる換気装置８を設置し、さらに図２に示すように内窓装置９を設置することにより二重窓が得られる。
図３に示すように、換気装置８は上記窓開口５の上辺（一辺）と等しい長さを有し、この上辺を画成する窓枠１の上枠部２に固定される。
【００２３】
まず、上記換気装置８の構成について、詳述する。
図３〜図５に示すように、上記換気装置８は、本体８ａと、作動板４０と、複数の押さえブロック５０と、カバー部材６０と、つまみモール７０(つまみ支持部材)と、操作つまみ８０と、左右一対のキャップ９０を備えている。
【００２４】
上記本体８ａは、図７に最も良く示されているように、２つの同一長さ（窓開口５の上辺とほぼ同一長さ）のアルミ製押出型材１０，２０を互いに連結することにより、断面ほぼ矩形をなして構成されている。本体８ａの内部空間は換気通路として提供される。
【００２５】
一方の型材１０は、断面ほぼＬ字形をなし、水平をなす上壁１１と、この上壁１１の屋外側の縁から下方に延びる垂直壁１２とを有している。上壁１１の屋内側の縁部近傍には嵌合部１３ａが形成され、垂直壁１２の下端縁にも嵌合部１３ｂが形成されている。
上記垂直壁１２には多数の縦長の通気穴１２ａが長手方向に等間隔をおいて形成されている。
【００２６】
上記上壁１１の屋内側の縁部には、下方に垂直に突出する２つの凸部１５，１６が形成されており、これら凸部１５，１６間に係合溝１７が形成されている。
さらに、上記上壁１１には長手方向に間隔をおいて２列の通し穴１１ａが形成されている。
【００２７】
他方の型材２０は、水平をなす下壁２１と、この下壁２１の屋内側の縁部から上方に突出した複雑な断面形状の支持部２２とを有している。
上記支持部２２は、垂直をなす支持壁２３と、この支持壁２３の下縁から水平をなして屋内へ延びる受壁２４と、支持壁２３の上縁から屋内方向に水平に延びる天井壁２６とを有している。これら受壁２４と天井壁２６は、上記作動板４０を収容するための収容空間３４を画成する。
支持壁２３には多数の縦長の通気穴２３ａ（第１通気穴）が長手方向に等間隔をおいて形成されている。
【００２８】
上記支持壁２３の上縁には屋外へ突出する嵌合部２５ａが形成され、上記下壁２１の屋外側の縁にも嵌合部２５ｂが形成されている。上記型材１０の嵌合部１３ａ、１３ｂと型材２０の嵌合部２５ａ、２５ｂを互いに嵌合させることにより、上記本体８ａが得られる。
【００２９】
上記型材２０の支持部２２は、この天井壁２６の屋内側の縁から下方に垂直に突出する受け凸部２７（第１受け凸部）を有している。
さらに上記支持部２２は、屋内側の縁から上記受壁２４に向かって順に、上方に向かって垂直に突出する凸部２８、２９と、段差部３０を有している。これら凸部２８，２９間に係合溝３１が形成され、凸部２９と段差部３０との間に、保持溝３２が形成されている。
【００３０】
上記型材２０の凸部２８、２９は、前述した型材１０の凸部１５，１６の真下に位置しており、これにより型材１０，２０の係合溝１７，３１も上下方向に対峙している。
上記凸部２９は、後述するように、上記受け凸部２７と協働して押さえブロック５０を係止するための受け凸部（第２受け凸部）としての役割も担う。
【００３１】
上記型材２０の下壁２１には、上記型材１０の上壁１１の通し穴１１ａの真下において、通し穴１１ａより径の大きな通し穴２１ａが形成されている。
【００３２】
上記本体８ａの最も重要な構成は、上記支持壁２２の屋内側の空間が、全長にわたって屋内側に開放された作業口３５として提供されることである。上記収容空間３４は作業口３５の一部を構成し、この作業口３５は換気通路の一部を構成している。
上記係合溝１７、受け凸部２７と、上記係合溝３１、受け凸部２９は、作業口３５を挟んで上下に対峙している。
【００３３】
次に、図８を参照しながら上記作動板４０について説明する。作動板４０はアルミ製の押出型材からなり、垂直の平板部４１と、この平板部４１の下縁から屋外側に水平に突出した脚部４２と、この平板部４１の屋内側に形成された長手方向に延びる一対の突起４３と、脚部４２の下面に形成された長手方向に延びる突起４４を有している。
【００３４】
さらに、上記平板部４１には、上記支持壁２３の通気穴２３ａと同形状、同ピッチの多数の通気穴４１ａ（第２通気穴）が形成されている。なお、上記突起４３は、これら通気穴４１ａにより分断されている。
【００３５】
図５に示すように、上記作動板４０は、その平板部４１が上記支持壁２３の屋内側の面に接し、上記脚部４２が上記受壁２４に乗った状態で、上記収容空間３４に収容されるとともに、通気穴２３ａ、４１ａが一致した開き位置と一致しない閉じ位置との間で、長手方向にスライド可能に支持されている。
【００３６】
次に、図８を参照しながら上記押さえブロック５０について説明する。押さえブロック５０は樹脂の射出成形品からなり、ボデイ部５１と、このボデイ部５１から上方に突出する係止部５２（第１係止部）と、ボデイ部５１から屋内に向かって斜め下方に突出する係止部５３（第２係止部）と、左右両端または左右いずれか一端がボデイ部５１に連なり屋外に向かって平面視円弧状に突出する弾性変形部５４と、ボデイ部５１から屋外に向かって突出する左右一対の係止部５５とを有している。
【００３７】
図５に示すように、上記押さえブロック５０の上記係止部５２が本体８ａの受け凸部２７の屋外側の面に当たり、上記係止部５３が上記本体８ａの保持溝３２に入り込むとともに上記受け凸部２９の屋外側の面に当たり、上記弾性変形部５４が弾性変形した状態で上記作動板４０の突起４３に当たることにより、作動板４０は、支持壁２３に弾性力をもって押し付けられ、支持壁２３に接した状態を維持される。
【００３８】
図４に示すように、押さえブロック５０の係止部５５が作動板４０の通気穴４１ａに入り込むことにより、押さえブロック５０は作動板４０に着脱可能に連結され、作動板４０と一緒に本体８ａに対してスライドするようになっている。
【００３９】
次に、図８を参照しながらカバー部材６０について説明する。このカバー部材６０は、樹脂の押出型材からなり、左右に細長い平板形状をなし屋外に向かって若干量突出する上下の鍔部を形成してなるボデイ部６１と、これらボデイ部６１の上下の鍔部の屋外側の縁から上下にそれぞれ突出する一対の係合部６２、６３（第３、第４の係合部）とを有している。このボデイ部６１には長手方向に間隔をおいて多数の通気穴６１ａが形成されており、ボデイ部６１の屋外側にはこのボデイ部６１のほぼ全長にわたってフィルタ６５が取り付けられている。
【００４０】
上記カバー部材６０は、図３に示すように、上記作業口３５のうち右端部を除く領域を覆うようにして、本体８ａに取り付けられている。図５に示すように、カバー６０は、その係合部６２，６３が本体８ａの係合溝１７，３１に嵌まることにより、本体８ａに着脱可能に支持されている。
【００４１】
次に、図４、図１０を参照しながらつまみモール７０について説明する。つまみモール７０は、樹脂の射出成形品からなり、浅い箱状をなすボデイ部７１と、このボデイ部７１の下辺部の屋外側の縁から下方に突出する係合部７２（第２係合部）と、ボデイ７１の上辺部の屋外側の縁から上方に突出した爪状をなす係合部７３（第１係合部）とを有している。
【００４２】
上記ボデイ部７１の平板部中央には、つまみ装着用の細長い開口７１ａが形成されている。
上記ボデイ部７１の上辺部は２箇所において分断されており、この分断部７１ｘ（連結部）は、他の部位より低くかつ薄肉となっており、この分断部７１ｘ（連結部）に上記爪状の係合部７３が連なっている。これら分断部７１ｘと係合部７３は断面ほぼＬ字形をなし、弾性変形可能である。また、分断部７１ｘの上面には長手方向に延びる浅い溝７１ｂが形成されている。
【００４３】
上記つまみモール７０は、図３に示すように、上記作業口３５の右端部の領域を覆うようにして、本体８ａに取り付けられている。上記ボデイ部７１の上下方向の幅Ｗ（図１０（Ｃ）参照）は、本体８ａの凸部１５，２８間の間隙とほぼ等しく、そのため、つまみモール７０のボデイ部７１は凸部１５，２８間に、実質的に上下動不能に（または上下方向の変位を僅かな量に制限されて）嵌められている。
図９に示すように、つまみモール７０は、上記係合部７２、７３がボデイ８ａの係合溝３１，１７に嵌ることにより、ボデイ８ａに着脱可能に支持されている。
【００４４】
次に、上記操作つまみ８０について図４、図９を参照しながら説明する。操作つまみ８０は、上記つまみモール７０の開口７１ａに左右移動可能に挿入された操作部８１と、この操作部８１から屋外に向かって突出する連結部８２と、操作部８１の左右上下に延びる鍔部８３とを有している。上記連結部８２の屋内側の端部の下面には小凸部が形成され、この小凸部が本体８ａの凸部２９の上縁にスライド可能に乗っている。上記連結部８２の屋外側の端部が上記作動板４０の突起４３に形成された切欠に嵌ることにより、操作つまみ８０は作動板４０に着脱可能に連結されている。上記鍔部８３は、本体８ａの凸部１６，２９とつまみモール７０のボデイ部７１との間に挟まれるようにして支持されている。
【００４５】
次に上記キャップ９０について、図３、図４を参照しながら説明する。上記型材１０，２０には図示しないタッピングホールが形成されており、上記キャップ９０を貫通するねじ（図示しない）をこれらタッピングホールにねじ込むことにより、上記本体８ａの長手方向両端にキャップ９０が固定されている。
【００４６】
図３、図４に示すように、上記一対のキャップ９０の屋内側の縁には、押さえ鍔９１が形成され、一対のキャップ９０の押さえ鍔９１間に、上記カバー部材６０とつまみモール７０が隙間無く配置されており、これによりカバー部材６０とつまみモール７０の横移動が禁じられている。
【００４７】
上記一対のキャップ９０で本体８ａの長手方向の両端開口を塞ぐことにより、運搬時に、上記本体８ａに装着された種々の構成要素（作動板４０、押さえブロック５０、カバー部材６０、つまみモール７０等）の脱落を防止することができる。
【００４８】
上記のように構成され、組み立てられた換気装置８は、図１、図３、図５に示すように、既存の窓（前述したように外窓装置６を設置してなる窓）の窓枠１の上枠部２に、固定される。詳述すると、図５に最も良く示すように、ねじ１００を本体８ａの通し穴２１ａ，１１ａに通し、木製の上枠部２にねじ込むことにより、本体８ａの上壁１１が上枠部２の下面に固定され、ひいては換気装置８全体が上枠部２に固定される。
【００４９】
次に、図２、図６に示すように、内窓装置９を後付けする。最初に枠体９ａを用意し、この枠体９ａの上枠部９ｂを、換気装置８の本体８ａの下壁２１にねじ２００で固定し、下枠部９ｃを窓枠１の下枠部３に図示しないねじで固定し、縦枠部９ｄを窓枠１の縦枠部４に図示しないねじで固定する。
【００５０】
次に、サッシ戸９ｘをいわゆるケンドン式に上枠部９ｂのレール９ｅと下枠部９ｃのレール９ｆとの間に嵌め込む。
上記のように、換気装置８の本体８ａを窓枠１の上枠部２の代わりに提供することにより、内窓装置９を容易に取り付けることができる。
【００５１】
上記のように、既存の外窓装置６に内窓装置９を後付けして二重窓とすることにより、断熱効果を高めることができ、ひいては家屋の冷暖房効率を向上させることができる。断熱性を高めるために、内窓装置９の枠体９ａやサッシ戸９ｘの枠は樹脂製が好ましい。
外窓装置６に装着された屋外側の換気装置７を開いた時に、屋内側の換気装置８を開けば、サッシ戸６ｘ、９ｘを閉じた状態で屋内の換気を行うことができる。
【００５２】
次に、上記換気装置８の修理、メンテナンスについて説明する。換気装置８の本体８ａは、窓枠１に固定されるとともに、内窓装置９の枠体９ａにも固定されているため、取り外すことはできない。そこで、修理、メンテナンスの際には、図１１に示すように、換気装置８の本体８ａを除く主要構成要素を、本体８ａの作業口３５から取り外す。以下、詳述する。
【００５３】
まず、図１１（Ａ）に示すように、カバー部材６０を本体８ａの係合溝１７，３１から取り外す。カバー部材６０のボデイ部６１の上下方向の幅は、係合溝１７，３１の屋内側の凸部１５，２８間の間隔より小さいので、カバー部材６０の上方への移動が可能であり、このカバー部材６０を持ち上げることにより、下側の係合部６３を係合溝３１から離脱させることができる。その後で図示のようにカバー部材６０を傾けてカバー部材６０の下縁部を屋内方向へ移動させた後、上側の係合部６２を係合溝１７から離脱させる。このようにして、カバー部材６０を本体８ａから取り外し、作業口３５の右端部を除く領域を開放する。
【００５４】
次に、図１１（Ｂ）に示すように、つまみモール７０を本体８ａの係合溝１７，３１から取り外す。この際、図９に示すように、ドライバー等の工具３００の先端をつまみモール７０のボデイ部７１の溝７１ｂに差込み、本体８ａの凸部１５の先端を支点として矢印方向に工具３００を回すことにより、係合部７３と分断部７１ｘを弾性変形させ、図１１（Ｂ）に示すように係合部７３を係合溝１７から外す。その後で、下側の係合部７２を係合溝３１から外す。このようにして、つまみモール７０を本体８ａから取り外し、作業口３５の右端部の領域を開放する。
【００５５】
次に、図１１（Ｃ）に示すように、つまみモール７０による拘束を解除された操作つまみ８０を屋内に向けて引くことにより、操作つまみ８０を作動板４０から抜き、作業口３５を介して本体８ａから取り外す。
【００５６】
次に、図１１（Ｄ）に示すように、押さえブロック５０を取り外す。図５に示すように、この押さえブロック５０の係止部５３が本体８ａの保持溝３２に嵌り、係止部５２，５３が受け凸部２７、２９に係止された状態において、係止部５２の上端と本体８ａの天井壁２６との間には余裕がある。そのため、押さえブロック５０は上方へ移動可能である。押さえブロック５０を所定量持ち上げることにより、係止部５３を受け凸部２９から外すことができる。その後で図１１（Ｄ）に示すように押さえブロック５０を傾けることにより、係止部５３を、受け凸部２９を越えて屋内方向に移動させることができる。次に、係止部５２を受け凸部２７から外し、押さえブロック５０を作業口３５から取り出す。
【００５７】
次に、図１１（Ｅ）に示すように、押さえブロック５０による拘束を解除された作動板４０を作業口３５から取り出す。作動板４０は本体８ａの支持壁２３に接し、受壁２４に乗っているだけなので、傾かせた状態で作業口３５から容易に取り出すことができる。
【００５８】
次に、空になった本体８ａを点検し、支持壁２３や受壁２４に付着した塵埃を除去する等して本体８ａを清掃する。また、取り出した上記作動板４０、押さえブロック５０、カバー部材６０、つまみモール７０、操作つまみ８０を点検したり清掃し、故障がある場合には修理したり新しい部品と交換する。
【００５９】
修理やメンテナンスが終了した後、上記とは逆の順序で、すなわち作動板４０、押さえブロック７０、操作つまみ８０、つまみモール７０、カバー部材６０の順序で、作業口３５を介して本体８ａに再装着する。
【００６０】
上記押さえブロック５０はいわゆるケンドン式に本体８ａに装着する。詳述すると、最初に押さえブロック５０を図１１（Ｄ）に示すような傾いた姿勢で作業口３５から挿入し、係止部５２を受け凸部２７より屋外側に位置させた後、係止部５３を受け凸部２９を越えて保持溝３２の上方に位置させ、さらに押さえブロック５０を下方に移動させて係止部５３を保持溝３２に嵌め込む。
また、カバー部材６０も同様にケンドン式に係合溝１７，３１に装着する。
【００６１】
上記つまみモール７０の場合、傾いた状態で最初に係合部７２を係合溝３１に挿入した後、屋外に向かって押しながら垂直に起立させる。この過程で、係合部７３が弾性変形して凸部１５を乗り越え、弾性復帰して係合溝１７に嵌る。この際、工具を用いて係合部７３を弾性変形させてもよい。
【００６２】
上記構成要素の取り外し、再装着の順序は、図１１に限定されない。例えば、カバー部材６０、つまみモール７０の取り外し、再装着の順序を逆にしてもよい。ただし、作動板４０の取り外しは最後に行い、再装着は最初に行う。
【００６３】
本発明は上記実施形態に制約されず、種々の形態を採用可能である。例えば、換気装置を窓開口の下辺に設置してもよいし、左右の縦辺に設置してもよい。
本発明は、サッシ戸装着型の換気装置に適用してもよい。この場合にも、修理、メンテナンスを容易に行うことができる。
本体を構成する型材は一つでもよいし、３つ以上でもよい。
作業口は、本体の全長でなくてもよく、作動板より長ければよい。
【産業上の利用可能性】
【００６４】
本発明は、家屋等の換気装置に適用することができる。
【符号の説明】
【００６５】
８  換気装置
８ａ  本体
１０，２０  型材
２３  支持壁
２３ａ  第１通気穴
２４  受壁
２６  天井壁
１７，３１  係合溝
２７  第１受け凸部
２９  第２受け凸部
３４  収容空間
３５  作業口
４０  作動板
４１ａ  第２通気穴
５０  押さえブロック
５２  第１係止部
５３  第２係止部
６０  カバー部材
６２，６３  第３、第４係合部
７０  つまみモール（つまみ支持部材）
７２，７３  第１、第２係合部
８０  操作つまみ
【図１】
0005551000.tif 000002
【図２】
0005551000.tif 000003
【図３】
0005551000.tif 000004
【図４】
0005551000.tif 000005
【図５】
0005551000.tif 000006
【図６】
0005551000.tif 000007
【図７】
0005551000.tif 000008
【図８】
0005551000.tif 000009
【図９】
0005551000.tif 000010
【図１０】
0005551000.tif 000011
【図１１】
0005551000.tif 000012